(57)【要約】【課題】  反射膜及び保護膜に厚み方向に形成された貫通孔を通過可能な光の進行角の範囲を広くすることができる鏡、及び鏡システムを提供する。【解決手段】  鏡１は、ガラス基材２と、反射膜３と、保護膜４と、１つ以上の貫通孔５１とを備える。貫通孔５１は、反射膜３及び保護膜４に厚み方向に沿って形成されている。そして、反射膜３の表面３１には貫通孔５１の第１開口５１１が形成されており、保護膜４の裏面４２には貫通孔５１の第２開口５１２が形成されており、第２開口５１２の面積は、第１開口５１１の面積より大きい。【選択図】図２
2019017560.tif 000002
【特許請求の範囲】
【請求項１】
ガラス基材と、
前記ガラス基材の裏面に設けられている反射膜と、
前記反射膜の裏面に設けられている保護膜と、
前記反射膜及び前記保護膜に厚み方向に沿って形成された透光用の１つ以上の貫通孔と、を備え、
前記反射膜の表面には前記貫通孔の第１開口が形成されており、
前記保護膜の裏面には前記貫通孔の第２開口が形成されており、
前記第２開口の面積は、前記第１開口の面積より大きい
ことを特徴とする鏡。
【請求項２】
前記貫通孔は、前記保護膜内において前記第２開口に近付くにつれて、前記厚み方向に直交する断面積が段階的または連続的に大きくなることを特徴とする請求項１記載の鏡。
【請求項３】
前記貫通孔は、前記反射膜に形成された柱体形状の第１空間と、前記保護膜に形成された柱体形状の第２空間とを備え、
前記第２空間の前記断面積は、前記第１空間の前記断面積より大きい
ことを特徴とする請求項２記載の鏡。
【請求項４】
前記貫通孔は、前記反射膜の表面から前記保護膜の内部に至る柱体形状の第１空間と、前記保護膜の内部から前記保護膜の裏面に至る柱体形状の第２空間とを備え、
前記第２空間の前記断面積は、前記第１空間の前記断面積より大きい
ことを特徴とする請求項２記載の鏡。
【請求項５】
前記貫通孔は、前記反射膜に形成された柱体形状の第１空間と、前記保護膜に形成された錐台形状の第２空間とを備え、
前記第２空間の前記断面積は、前記第２開口に近付くにつれて連続的に大きくなり、
前記第２空間の前記断面積は、前記第１空間の前記断面積以上になる
ことを特徴とする請求項２記載の鏡。
【請求項６】
前記貫通孔は、前記反射膜の表面から前記保護膜の内部に至る柱体形状の第１空間と、前記保護膜の内部から前記保護膜の裏面に至る錘台形状の第２空間とを備え、
前記第２空間の前記断面積は、前記第２開口に近付くにつれて連続的に大きくなり、
前記第２空間の前記断面積は、前記第１空間の前記断面積以上になる
ことを特徴とする請求項２記載の鏡。
【請求項７】
前記貫通孔に充填された透光性の保護膜をさらに備えることを特徴とする請求項１乃至６のいずれか一項に記載の鏡。
【請求項８】
前記１つ以上の貫通孔は複数の貫通孔であり、
前記反射膜の表面には前記複数の貫通孔のそれぞれの第１開口が形成されており、
前記複数の第１開口の前記反射膜の表面に沿った一方向の寸法である幅寸法がそれぞれ０．０１［ｍｍ］以上、１［ｍｍ］以下の範囲内に設定されている
ことを特徴とする請求項１乃至７のいずれか一項に記載の鏡。
【請求項９】
前記複数の第１開口のうち隣り合う２つの第１開口の離間距離は、０．０１［ｍｍ］以上かつ２［ｍｍ］以下の範囲内に設定されていることを特徴とする請求項８記載の鏡。
【請求項１０】
前記複数の貫通孔のそれぞれの前記第２開口は、互いに結合して１つの開口を形成していることを特徴とする請求項８または９記載の鏡。
【請求項１１】
請求項１乃至１０のいずれか一項に記載の鏡と、
前記保護膜の裏面側において、前記第２開口に対向して設けられた受光部とを備え、
前記受光部は、前記第１開口に入射し、前記第２開口から出射した光を受信する
ことを特徴とする鏡システム。
【請求項１２】
請求項１乃至１０のいずれか一項に記載の鏡と、
前記保護膜の裏面側において、前記第２開口に対向して設けられて光を発する発光部とを備え、
前記発光部が発した光は、前記第２開口に入射し、前記第１開口から出射する
ことを特徴とする鏡システム。
【発明の詳細な説明】
【技術分野】
【０００１】
本発明は、鏡、及び鏡システムに関する。
【背景技術】
【０００２】
従来、裏面側から光を透過させることができる鏡が知られている（例えば特許文献１、２参照）。
【０００３】
特許文献１に開示されている鏡（反射鏡）は、ガラスの裏面に銀またはアルミニウム等を蒸着した反射膜と、その反射膜を被覆した保護膜とを備える。そして、レーザ光が鏡に照射されることによって、反射膜は加熱されて蒸発し、同時に保護膜も溶融する。この結果、鏡の裏面側には、反射膜及び保護膜が除去された貫通孔が形成される。
【０００４】
また、特許文献２に開示されている鏡は、正面視における一部に透孔部を有している。鏡の裏面側には発光部（発光素子）が配置されており、発光部が点灯すると、発光部から発せられた光は、透孔部を通って鏡の前方を照らす。
【先行技術文献】
【特許文献】
【０００５】
【特許文献１】特開２００１−１９１６９１号公報
【特許文献２】実用新案登録第３１３３６３０号公報
【発明の概要】
【発明が解決しようとする課題】
【０００６】
特許文献１の鏡の裏面側に発光部を配置した場合、鏡の表面側に存在する人は、反射膜及び保護膜が形成されていない貫通孔を通して、発光部の光を認識することができる。また、特許文献１の鏡の裏面側に受光部を配置した場合、受光部は、鏡の前方から貫通孔を通過した光を受光することができる。
【０００７】
しかしながら、特許文献１の貫通孔を通過することができる光の進行角の範囲は比較的狭かった。この結果、受光部の検知角、及び発光装置の視野角が狭くなるという問題点があった。
【０００８】
本発明の目的とするところは、反射膜及び保護膜に厚み方向に形成された貫通孔を通過可能な光の進行角の範囲を広くすることができる鏡、及び鏡システムを提供することにある。
【課題を解決するための手段】
【０００９】
本発明の一態様に係る鏡は、ガラス基材と、前記ガラス基材の裏面に設けられている反射膜と、前記反射膜の裏面に設けられている保護膜と、前記反射膜及び前記保護膜に厚み方向に沿って形成された透光用の１つ以上の貫通孔と、を備える。前記反射膜の表面には前記貫通孔の第１開口が形成されており、前記保護膜の裏面には前記貫通孔の第２開口が形成されており、前記第２開口の面積は、前記第１開口の面積より大きいことを特徴とする。
【００１０】
本発明の一態様に係る鏡システムは、上述の鏡と、前記保護膜の裏面側において、前記第２開口に対向して設けられた受光部とを備え、前記受光部は、前記第１開口に入射し、前記第２開口から出射した光を受信することを特徴とする。
【００１１】
本発明の一態様に係る鏡システムは、上述の鏡と、前記保護膜の裏面側において、前記第２開口に対向して設けられて光を発する発光部とを備え、前記発光部が発した光は、前記第２開口に入射し、前記第１開口から出射することを特徴とする。
【発明の効果】
【００１２】
本発明では、反射膜及び保護膜に厚み方向に形成された貫通孔を通過可能な光の進行角の範囲を広くすることができるという効果がある。
【図面の簡単な説明】
【００１３】
【図１】図１Ａは、実施形態に係る鏡の正面図である。図１Ｂは、鏡の側面図である。
【図２】図２Ａは、同上の鏡の一部を示す断面図である。図２Ｂは、同上の第１変形例の鏡の一部を示す断面図である。
【図３】図３は、同上の比較例の鏡の一部を示す断面図である。
【図４】図４は、同上の鏡の別の側面図である。
【図５】図５Ａは、同上の第２変形例の鏡の一部を示す断面図である。図５Ｂは、同上の第３変形例の鏡の一部を示す断面図である。
【図６】図６Ａは、同上の第４変形例の鏡の一部を示す拡大正面図である。図６Ｂは、同上の鏡の透光部の一部を示す拡大図である。
【図７】図７は、同上の第５変形例の鏡の一部を示す断面図である。
【発明を実施するための形態】
【００１４】
以下の実施形態は、一般に、鏡に関する。さらに詳しくは、ガラス基材、反射膜、保護膜を備える鏡に関する。
【００１５】
図１Ａ、図１Ｂ、図２Ａは、鏡１、及び鏡１を備える鏡システム１０の構成を示す。以下において、表面側とは、光が鏡１に反射して虚像が見える側であり、裏面側とはその反対側であって虚像が見えない側である。なお、以下の説明では、特に断りのない限り、図１Ａにおいて、左右、上下の各方向が規定されている。
【００１６】
鏡１は、ガラス基材２と、反射膜３と、保護膜４とを、主構成として備える。
【００１７】
ガラス基材２は、光を透過させる所定の厚みのガラス板により構成される。ガラス基材２の正面視における形状及び広さが、鏡１の正面視における形状及び広さを決める。ガラス基材２の表面２１及び裏面２２は平面である。
【００１８】
ガラス基材２は、その厚みは特に限定されず、また、厚みが一定であることが好ましいが、必ずしも厚みが一定でなくてもよい。また、ガラス基材２の表面２１及び裏面２２は、平面度ができるだけ高いことが好ましいが、平面度は特定の値または範囲に限定されない。また、ガラス基材２の表面２１または裏面２２の正面視における一部に他の部分に比べて平面度が低い部分が存在してもよい。また、ガラス基材２の組成は、特に限定されない。また、ガラス基材２の表面２１または裏面２２は曲面であってもよい。
【００１９】
反射膜３は、ガラス基材２の裏面２２に設けられており、反射膜３の表面３１がガラス基材２の裏面２２に接している。反射膜３としては、ガラス基材２の裏面２２に直接設けられる銀の膜と、銀の膜の裏面に設けられる銅の膜とからなるものが好適に用いられる。反射膜３は、ガラス基材２の裏面２２の全面にわたって設けられるのが好ましいが、必ずしも全面にわたって設けられなくてもよい。また、反射膜３の材質は銀または銅に限定されず、他の金属をはじめとする公知の反射膜としての材質が適宜利用可能である。また、本実施形態の反射膜３の膜厚は１０（μｍ）程度であるが、具体的な値は特に限定されない。
【００２０】
保護膜４は、反射膜３の裏面３２に設けられており、保護膜４の表面４１が反射膜３の裏面３２に接している。保護膜４としては、樹脂からなるものが好適に用いられる。保護膜４は、反射膜３の裏面３２の全面にわたって設けられるのが好ましいが、必ずしも全面にわたって設けられなくてもよい。また、保護膜４の材質は樹脂に限定されず、公知の保護膜としての材質が適宜利用可能である。また、保護膜４の裏面４２は、鏡１の裏面側に露出している。また、本実施形態の保護膜４の膜厚は数十〜１００（μｍ）程度であるが、具体的な値は特に限定されない。
【００２１】
上述のように、鏡１は、ガラス基材２、反射膜３及び保護膜４を厚み方向に積層して形成されている。
【００２２】
図１Ａにおいて、鏡１は正面視矩形状をしており、正面視の左下隅に透光部５が設けられている。図２Ａに示すように、透光部５は、反射膜３及び保護膜４に形成された１つの透光用の貫通孔５１を備える。透光用の貫通孔５１は、反射膜３及び保護膜４を除去した、所謂銀抜き部で形成されている。銀抜き部は、反射膜３及び保護膜４が存在しない空洞であり、反射膜３及び保護膜４の厚み方向に沿って形成される。なお、以降、透光用の貫通孔は、単に貫通孔と略称する。
【００２３】
このような貫通孔５１は、反射膜３の表面３１側と保護膜４の裏面４２側との間に光が通過する経路（光経路）を形成している。そして、ガラス基材２は透光性を有しており、鏡１の表面側から透光部５に入射した光は、ガラス基材２及び貫通孔５１を通って鏡１の裏面側に出射する。また、鏡１の裏面側から透光部５に入射した光は、貫通孔５１及びガラス基材２を通って鏡１の表面側に出射する。
【００２４】
本実施形態の貫通孔５１は、反射膜３の表面３１に円形の第１開口５１１が形成され、保護膜４の裏面４２に円形の第２開口５１２が形成されている。すなわち、貫通孔５１は、鏡１の厚み方向の両端に円形の第１開口５１１及び第２開口５１２をそれぞれ備えており、第１開口５１１は、ガラス基材２の裏面２２によって閉塞されており、第２開口５１２は、鏡１の裏面側に開放している。
【００２５】
第１開口５１１と第２開口５１２とは、鏡１の厚み方向に延びる仮想的な軸が中心を通るように、同軸の円形状にそれぞれ形成されている。そして、第２開口５１２の直径は第１開口５１１の直径より大きい。すなわち、正面視において、第２開口５１２の周縁が第１開口５１１の周縁の外側を囲むように、第１開口５１１と第２開口５１２とは同心円状に形成されており、第２開口５１２の面積は第１開口５１１の面積より大きくなる。
【００２６】
具体的に、貫通孔５１は、反射膜３に形成された第１空間６１と、保護膜４に形成された第２空間６２とを備える。第１空間６１は、反射膜３の表面３１と裏面３２との間を貫通する円柱体形状であり、第１空間６１の一端が第１開口５１１になる。第２空間６２は、保護膜４の表面４１と裏面４２との間を貫通する円柱体形状であり、第２空間６２の一端が第２開口５１２になる。そして、第２空間６２の直径は第１空間６１の直径より大きく、反射膜３と保護膜４との境界に段部５１３が形成されており、貫通孔５１の直径は、反射膜３と保護膜４との境界で段階的に変化している。言い換えると、貫通孔５１は、第１開口５１１から第２開口５１２に近付くと、厚み方向に直交する断面積（鏡１の面方向の断面積）が段部５１３で段階的に大きくなっている。この場合、段部５１３が反射膜３と保護膜４との境界に位置しているので、反射膜３の裏面３２が貫通孔５１内に露出している。
【００２７】
本実施形態において、透光部５の裏面側には受光部７が配置されている。この場合、鏡システム１０は、鏡１と受光部７とを備える。
【００２８】
受光部７は、人感センサ、または受信装置などに設けられており、鏡１の前方（鏡１の表面側）から発せられた光として赤外光を受光する。例えば、焦電型の人感センサでは、受光部７が焦電素子を備えており、鏡１の前方（鏡１の表面側）に存在する使用者から放射された赤外光を受光部７が受光する。そして、焦電型の人感センサは、受光部７が受光した赤外光に基づいて使用者の存在及び移動を検知する。また、受信装置では、鏡１の前方（鏡１の表面側）にあるリモートコントローラ（送信装置）から送信された赤外光を受光部７が受光する。そして、受信装置は、受光部７が受光した赤外光に基づいてリモートコントローラからの送信信号を復調する。すなわち、受光部７は、鏡１の表面側から透光部５を通過した赤外光を受光する。なお、受光部７は、人感センサ、受信装置以外の機器に設けられていてもよく、さらに受光する光は赤外光以外であってもよい。
【００２９】
ここで、反射膜３の表面３１の法線に対する光の進行方向の角度である進行角をθとすると（図２Ａ参照）、受光部７の検知角は、透光部５（貫通孔５１）を通過可能な光の進行角θの範囲によって決まる。したがって、受光部７の検知角を広くするためには、透光部５（貫通孔５１）を通過可能な光の進行角θの範囲を広くすることが有効である。なお、進行角θは０（°）以上、９０（°）以下の範囲内の値をとる。また、受光部７の検知角は、受光部７を備える人感センサ、受信装置などの検知角に相当する。
【００３０】
そこで、本実施形態の貫通孔５１では、第１開口５１１から第２開口５１２に近付くと、貫通孔５１の断面積が段階的に大きくなっている。この結果、貫通孔５１を通過可能な光の進行角θの範囲を広くすることができる。
【００３１】
以下、貫通孔５１による作用効果について詳述する。
【００３２】
まず、図３は、本実施形態の比較例の鏡１００の一部を示しており、鏡１００は、貫通孔２００を備えている。貫通孔２００は、鏡１００の厚み方向を軸方向とする円柱状に形成されており、反射膜３の表面３１に円形の第１開口２０１が形成され、保護膜４の裏面４２に円形の第２開口２０２が形成されている。すなわち、貫通孔２００は、鏡１００の厚み方向の両端に円形の第１開口２０１及び第２開口２０２をそれぞれ備えており、第１開口２０１は、ガラス基材２の裏面２２によって閉塞されており、第２開口２０２は、鏡１００の裏面側に開放している。そして、第１開口２０１の直径と第２開口２０２の直径とは等しく、第１開口２０１と第２開口２０２との間は円柱体形状の空間になっている。
【００３３】
さらに、鏡１００の裏面側には、第２開口２０２に対向して受光部７が配置されている。
【００３４】
そして、光の進行角θが０（°）より大きい場合、鏡１の表面側からこの進行角θの方向に沿って第１開口２０１を見ると、第１開口２０１から鏡１の裏面側へ至る経路の少なくとも一部が貫通孔２００の側面の保護膜４（保護膜４の端面）によって遮られてしまうことがある。すなわち、光の進行角θが０（°）より大きい場合、第１開口２０１から貫通孔２００に入射した光の少なくとも一部は、貫通孔２００の側面の保護膜４に当たって遮光されてしまう可能性がある。この光の遮光度合は、進行角θが大きくなるほど増大する。このような貫通孔２００では、貫通孔２００を通過可能な光の進行角θの最大値は、最大進行角θｍ２になる。すなわち、貫通孔２００を通過可能な光の進行角θの範囲は、貫通孔２００の側面の保護膜４によって制限されており、この結果、受光部７の検知角も制限されてしまう。また、第１開口２０１の直径に対する保護膜４の厚みの比率が大きいほど、保護膜４による光の遮光度合は増大し、最大進行角θｍ２は小さくなる。
【００３５】
ここで、第１開口２０１の直径（貫通孔２００の直径）をＤｂ、反射膜３の膜厚と保護膜４の膜厚との和（膜厚寸法）をＨｂとする。そして、鏡１の表面側から進行角θ１の方向に沿って第１開口２０１を見た場合に、第１開口２０１の半分の領域が保護膜４によって遮られているとすると、Ｄｂ＝２Ｈｂ×ｔａｎ（θ１）  が成立する。そして、第１開口２０１の直径Ｄｂが小さく、Ｄｂ≦５．５×Ｈｂとなる場合、最大進行角θｍ２は７０（°）以下になり、受光部７の検知角は比較的狭くなってしまう。すなわち、膜厚寸法Ｈｂが一定である場合、第１開口２０１の直径Ｄｂが小さいほど、受光部７の検知角がより狭くなってしまう。
【００３６】
一方、図２Ａに示すように、本実施形態の貫通孔５１は、第１開口５１１から第２開口５１２に近付くと、断面積が段部５１３で段階的に大きくなっている。すなわち、貫通孔５１内において、保護膜４の端面は、反射膜３の端面より外側に位置しており、第１開口５１１から保護膜４の端面が見え難くなっている。したがって、貫通孔５１では、貫通孔５１に入射した光の進行角θが大きい場合でも、保護膜４によって遮光され難くなり、貫通孔５１を通過可能な光の進行角θの最大値である最大進行角θｍ１は、貫通孔２００の最大進行角θｍ２よりも大きくなる。この結果、貫通孔５１を通過可能な光の進行角θの範囲は、貫通孔２００を通過可能な光の進行角θの範囲よりも広くなり、受光部７の検知角も広くなる。
【００３７】
第１開口５１１の直径をＤａ、反射膜３の膜厚と保護膜４の膜圧との和（膜厚寸法）をＨａとすると、第１開口５１１の直径Ｄａが小さく、Ｄａ≦５．５×Ｈａとなる場合に、貫通孔５１の上記構成は特に効果的になる。
【００３８】
また、最大進行角θｍ１は、６０（°）程度に設定されることが好ましい。具体的に、第１開口５１１の半径と第２開口５１２の半径との差Ｒａを１．７×Ｈａ以上にすれば、最大進行角θｍ１を６０（°）程度に設定することができる。
【００３９】
また、図４に示すように、透光部５の裏面側には発光部８が配置されてもよい。この場合、鏡システム１０は、鏡１と発光部８とを備える。
【００４０】
発光部８は、ＬＥＤ（Light Emitting Diode）等の発光素子を備えており、発光素子が可視光を発する点灯状態と、発光素子が消灯する消灯状態とを切り換えることができる。発光部８が点灯したとき、透光部５（貫通孔５１）を通過した可視光が鏡１の表面側より見えて、何らかの表示または照明として使用者が認識することができる。例えば、発光部８として、セグメントＬＥＤの発光によってメッセージ、現在時刻などを表示する表示装置が用いられた場合、透光部５はメッセージ、現在時刻などが浮かび上がる表示面として機能する。また、発光部８として、ＬＥＤの発光によって鏡１の表面側に可視光を照射する照明装置が用いられた場合、透光部５は発光面として機能する。なお、発光部８は、表示装置、照明装置以外の装置であってもよい。
【００４１】
この場合、発光部８の視野角は、透光部５（貫通孔５１）を通過可能な光の進行角θの範囲によって決まる。したがって、発光部８の視野角を広くするためには、透光部５（貫通孔５１）を通過可能な光の進行角の範囲を広くすることが有効である。
【００４２】
そこで、本実施形態の貫通孔５１では、第１開口５１１から第２開口５１２に近付くと、貫通孔５１の断面積が段階的に大きくなっている。したがって、上述の受光部７と同様に、貫通孔５１を通過可能な光の進行角θの範囲は、貫通孔２００を通過可能な光の進行角θの範囲よりも広くなり、発光部８の視野角も広くなる。
【００４３】
上述のように、本実施形態の鏡１では、反射膜３及び保護膜４に厚み方向に形成された貫通孔５１を通過可能な光の進行角θの範囲を比較例より広くすることができる。この結果、鏡システム１０では、受光部７の検知角、及び発光部８の視野角がより広くなる。
【００４４】
また、鏡システム１０は、受光部７及び発光部８の両方を備える反射型の人感センサを透光部５の裏面側に配置してもよい。この場合、発光部８が発した赤外光が第１開口５１１を通って鏡１の前方に照射され、鏡１の前方に存在する使用者に当たって反射した赤外光が、第１開口５１１を通って受光部７に受光される。反射型の人感センサは、受光部７が受光した赤外光に基づいて使用者の存在を検知する。この構成においても、上記同様の効果を得ることができる。
【００４５】
なお、透光部５が備える貫通孔５１の数は１つに限定されず、透光部５は、２つ以上の透光用の貫通孔５１を備えてもよい。
【００４６】
次に、図２Ｂは、透光部５の貫通孔５１に関する第１変形例を示す。
【００４７】
図２Ｂの貫通孔５１は、第１空間６１Ａと、第２空間６２Ａとを備える。第１空間６１Ａは、反射膜３の表面３１から保護膜４の内部にまで至る円柱体形状に形成されており、第１空間６１Ａの一端が第１開口５１１になる。第１空間６１Ａの他端は、保護膜４内に入り込んでおり、保護膜４の表面４１よりも裏面４２の近くに位置している。第２空間６２Ａは、保護膜４内に入り込んでいる第１空間６１Ａの他端と保護膜４の裏面４２との間を貫通する円柱体形状に形成されており、第２空間６２Ａの一端が第２開口５１２になる。第２空間６２Ａの他端は、第１空間６１Ａの他端に接続している。
【００４８】
そして、第１空間６１Ａと第２空間６２Ａとの境界となる段部５１３は、保護膜４の裏面４２よりも表面４１に近い部位に位置しており、第２空間６２Ａの底面を構成する保護膜４は、反射膜３の裏面３２を保護できる程度の膜厚となるように形成されている。すなわち、第１変形例では、第２空間６２Ａの底面に保護膜４が設けられており、反射膜３の裏面３２が貫通孔５１内に露出していないので、反射膜３を保護することができる。
【００４９】
また、第１変形例の貫通孔５１では、第１開口５１１から第２開口５１２に近付くと、段部５１３で貫通孔５１の断面積が段階的に大きくなっており、貫通孔５１を通過可能な光の進行角θの範囲を比較例より広くすることができる。この結果、鏡システム１０では、受光部７の検知角、及び発光部８の視野角がより広くなる。
【００５０】
次に、図５Ａは、透光部５の貫通孔５１に関する第２変形例を示す。
【００５１】
図５Ａの貫通孔５１は、第１空間６１Ｂと、第２空間６２Ｂとを備える。第１空間６１Ｂは、反射膜３の表面３１と裏面３２との間を貫通する円柱体形状に形成されており、第１空間６１Ｂの一端が第１開口５１１になる。第２空間６２Ｂは、保護膜４の表面４１と裏面４２との間を貫通する円錘台形状に形成されており、第２空間６２Ｂの一端が第２開口５１２になる。そして、第２開口５１２の直径（面積）は第１開口５１１の直径（面積）より大きく、保護膜４にはテーパ面５１４が形成されており、貫通孔５１の直径は、保護膜４内で連続的に変化している。言い換えると、貫通孔５１は、第１開口５１１から第２開口５１２に近付くと、断面積が保護膜４内で連続的に大きくなっている。
【００５２】
すなわち、第２変形例では、第２空間６２Ｂが円錘台形状に形成されており、反射膜３の裏面３２が貫通孔５１内に露出していないので、反射膜３を保護することができる。
【００５３】
また、第２変形例の貫通孔５１では、第１開口５１１から第２開口５１２に近付くと、保護膜４内で貫通孔５１の断面積が連続的に大きくなっており、貫通孔５１を通過可能な光の進行角θの範囲を比較例より広くすることができる。この結果、鏡システム１０では、受光部７の検知角、及び発光部８の視野角がより広くなる。
【００５４】
次に、図５Ｂは、透光部５の貫通孔５１に関する第３変形例を示す。
【００５５】
図５Ｂの貫通孔５１は、第１空間６１Ｃと、第２空間６２Ｃとを備える。第１空間６１Ｃは、反射膜３の表面３１から保護膜４の内部にまで至る円柱体形状に形成されており、第１空間６１Ｃの一端が第１開口５１１になる。第１空間６１Ｃの他端は、保護膜４内に入り込んでおり、保護膜４の表面４１よりも裏面４２の近くに位置している。第２空間６２Ｃは、保護膜４内に入り込んでいる第１空間６１Ｃの他端と保護膜４の裏面４２との間を貫通する円錘台形状に形成されており、第２空間６２Ｃの一端が第２開口５１２になる。第２空間６２Ｃの他端は、第１空間６１Ｃの他端に接続している。
【００５６】
そして、第１空間６１Ｃと第２空間６２Ｃとの境界は、保護膜４の裏面４２よりも表面４１に近い部位に位置しており、反射膜３の裏面３２は、十分な膜厚の保護膜４によって保護されている。
【００５７】
また、第３変形例の貫通孔５１では、第１開口５１１から第２開口５１２に近付くと、保護膜４内で貫通孔５１の断面積が連続的に大きくなっており、貫通孔５１を通過可能な光の進行角θの範囲を比較例より広くすることができる。この結果、鏡システム１０では、受光部７の検知角、及び発光部８の視野角がより広くなる。
【００５８】
また、上述の実施形態及び各変形例において、貫通孔５１の断面形状は円形状に限らず、正多角形状、楕円形状、矩形状などの他の形状であってもよい。すなわち、上述の第１空間６１、６１Ａ，６１Ｂ，６１Ｃ、第２空間６２、６２Ａ，６２Ｂ，６２Ｃは、正多角柱形状、正多角錘台形状、楕円柱形状、楕円錘台形状、矩形体形状、または矩形錐台形状などであってもよい。さらに、貫通孔５１を構成する第１空間の断面形状と第２空間の断面形状とは、互いに異なる形状であってもよい。
【００５９】
例えば、貫通孔５１の断面形状が矩形体形状である場合、矩形状の第２開口の短手寸法が、矩形状の第１開口の短手寸法より長くなることで、短手方向において貫通孔５１を通過可能な光の進行角θの範囲を比較例より広くすることができる。
【００６０】
また、反射膜３の裏面３２が貫通孔５１内に露出しないように、保護膜４を裏面３２上に残す場合、上述の第１−第３変形例以外の形態でもよい。すなわち、貫通孔５１内の保護膜４の膜厚が貫通孔５１外の保護膜４の膜厚に等しくなる部位が、正面視において第１開口５１１の周縁よりも外側に位置する構成であればよい。
【００６１】
次に、図６Ａ、図６Ｂは、透光部５に関する第４変形例を示す。図６Ａでは、微細な複数の貫通孔５１が矩形状に配置されており、透光部５は矩形状に形成されている。そして、図６Ａは、透光部５を含む反射膜３の一部を示す正面図であり、図６Ｂは、透光部５の一部領域５０（図６Ａ参照）を示す正面図である。図６Ａ及び図６Ｂでは、複数の貫通孔５１が格子状に規則的に並べられており、左右方向に一列に並べられた所定数の貫通孔５１が１つの列を構成し、複数の列が上下方向に並べられている。
【００６２】
第４変形例の透光部５では、微細な複数の貫通孔５１が離散的に配置されている。この場合、貫通孔５１の第１開口５１１の幅寸法Ｌは、０．０１［ｍｍ］上、１［ｍｍ］以下の範囲内に設定されている。図６Ａ，６Ｂでは、貫通孔５１の断面形状が円形であり、円形状の第１開口５１１の直径が幅寸法Ｌに相当する。したがって、第１開口５１１の直径は、０．０１［ｍｍ］以上、１［ｍｍ］以下の範囲内に設定されている。そして、円形状の第２開口５１２の直径は、第１開口５１１の直径よりも大きい値に設定されている。
【００６３】
また、貫通孔５１の断面形状が楕円形である場合、楕円形の第１開口５１１の短径が幅寸法Ｌに相当する。そして、楕円形の第２開口５１２の短径は、第１開口５１１の短径よりも大きい値に設定されている。
【００６４】
また、貫通孔５１の断面形状が矩形である場合、矩形の第１開口５１１の短手方向の寸法が幅寸法Ｌに相当する。そして、矩形の第２開口５１２の短手方向の寸法は、第１開口５１１の短手方向の寸法よりも大きい値に設定されている。
【００６５】
また、貫通孔５１の断面形状が正多角形である場合、正多角形の第１開口５１１に外接する円（外接円）の直径が幅寸法Ｌに相当する。そして、正多角形の第２開口５１２の外接円の直径は、第１開口５１１の外接円の直径よりも大きい値に設定されている。
【００６６】
さらに、複数の第１開口５１１のそれぞれは、反射膜３の表面３１において、隣り合う第１開口５１１との離間距離Ｗが０．０１［ｍｍ］以上かつ２［ｍｍ］以下になるように配置されている。すなわち、複数の第１開口５１１のうち隣り合う２つの第１開口５１１の離間距離Ｗは、０．０１［ｍｍ］以上かつ２［ｍｍ］以下の範囲に収まっており、表面３１における第１開口５１１の密度は、離間距離Ｗによって決まる。
【００６７】
この第４変形例の貫通孔５１は微細であるので、１つの貫通孔５１を通過する光量は比較的少ない。しかしながら、透光部５は多数の貫通孔５１を備えている。すなわち、反射膜３の表面３１における第１開口５１１の密度、及び保護膜４の裏面４２における第２開口５１２の密度は、受光部７に十分な光量の光が到達し、発光部８から発せられた光が鏡１の前方に十分な光量で照射されるように設定されている。
【００６８】
また、発光部８が消灯しているとき、発光部８の光が第１開口５１１から出射することはない。そして、第１開口５１１の幅寸法Ｌは、使用者から見て第１開口５１１が目立ちにくくなる値に設定されている。したがって、光を出射しない第１開口５１１は、鏡１の表面側に存在する使用者に認識されることが困難な程度に、反射膜３の表面３１において微小なサイズとなる。この結果、透光部５（複数の第１開口５１１）は、反射膜３の表面３１において目立たなくなり、透光部５の鏡面としての機能は、透光部５が形成されていない反射膜３の表面３１とほぼ同等になる。
【００６９】
上述のように、第４変形例の透光部５は、正面視において反射膜３及び保護膜４を除去した複数の貫通孔５１（複数の銀抜き部）を備えており、複数の貫通孔５１は離散的に配置されている。この結果、透光部５は、擬似的なハーフミラーとして機能し、かつ目立ちにくく、高い隠蔽性及び高い意匠性を有している。すなわち、第４変形例の鏡１は、光透過性を有する透光部５を目立ちにくくして、透光部５の鏡面としての機能を確保することができる。
【００７０】
また、第４変形例の鏡１は、透光部５が自然な鏡面として機能するので、透光部５を備えながらも、鏡としての主な品質（虚像の色味、明るさ、形状など）の低下を抑制でき、化粧時等の使用にも耐え得る。
【００７１】
上述の第４変形例の鏡１では、透光部５の隠蔽性を担保するために、第１開口５１１のサイズ（例えば幅寸法Ｌなど）を小さくする必要がある。そして、第１開口５１１のサイズが小さくなるほど、透光部５の隠蔽性は向上する。しかし、第１開口５１１のサイズが小さくなるほど、第１開口５１１のサイズに対する膜厚寸法Ｈａが相対的に大きくなるので、受光部７の検知角及び発光部８の視野角が保護膜４によって狭くなるというトレードオフが生じる。
【００７２】
そこで、上述の実施形態及び第１−第３変形例のいずれかのように、複数の第１開口５１１のそれぞれについて、保護膜４を除去し、第２開口５１２の面積を第１開口５１１の面積より大きくすることによって、透光部５の隠蔽性を確保し、かつ広い検知角及び広い視野角を確保することができる。
【００７３】
なお、透光部５における複数の貫通孔５１は、不規則に配置されてもよい。
【００７４】
また、第２開口５１２の面積を大きくすると、保護膜４の裏面４２において隣り合う２つの第２開口５１２が互いに結合し、この結果、複数の第２開口５１２が１つの開口を形成する場合がある。この場合、保護膜４の裏面４２に形成された１つの開口が、複数の第２開口５１２と同様の作用効果をもたらすので、上記同様の効果を得ることができる。
【００７５】
次に、図７は、貫通孔５１の構造に関する第５変形例を示す。
【００７６】
上述の実施形態において透光用の貫通孔５１の内部は空洞であり、反射膜３の端面（エッジ）が貫通孔５１の側面に露出しているために、反射膜３の端面に錆などが発生して腐食の要因になる可能性がある。そこで、図７に示すように、保護膜４の裏面４２側に透光性の保護膜９をさらに形成して、貫通孔５１の内部に透光性の保護膜９を充填することが好ましい。この場合、貫通孔５１に透光性の保護膜９が充填されており、貫通孔５１の内部の空洞をなくして空気を排出することができる。したがって、反射膜３の端面が保護膜９に覆われているので、反射膜３の腐食の発生が抑えられる。なお、透光性の保護膜９は、第１−第４変形例にも適用可能である。
【００７７】
透光用の貫通孔５１を鏡１に形成する方法としては、ガラス基材２に反射膜３及び保護膜４を形成する製造工程において、貫通孔５１となる部分に反射膜３及び保護膜４が形成されないようにする方法を採用してもよい。このような方法としては、例えば、ガラス基材２に反射膜３及び保護膜４を形成する際に、貫通孔５１となる部分にマスキングを施して反射膜３及び保護膜４が形成されないようにするマスキング法が採用可能である。例えば、ガラス基材２に反射膜３を形成する際に、第１空間６１、６１Ａ，６１Ｂ，６１Ｃとなる部分にマスキングを施して反射膜３が形成されないようにする。そして、反射膜３に保護膜４を形成する際に、第２空間６２、６２Ａ，６２Ｂ，６２Ｃとなる部分にマスキングを施して保護膜４が形成されないようにする。
【００７８】
マスキング法を採用する場合、貫通孔５１に面するガラス基材２の裏面２２を、荒れのない平坦面にしやすい。このように貫通孔５１となる部分に反射膜３及び保護膜４が形成されないようにする方法を採用する場合、鏡１を形成する工程の中に、貫通孔５１を形成する工程が含まれることになる。
【００７９】
また、ガラス基材２に反射膜３及び保護膜４を形成した後に、レーザ加工、ブラスト加工、エッチング加工、または機械加工（切削刃または研削刃等による加工）などによって貫通孔５１を形成してもよい。この場合、第１空間６１、６１Ａ，６１Ｂ，６１Ｃ、第２空間６２、６２Ａ，６２Ｂ，６２Ｃが、レーザ加工、ブラスト加工、エッチング加工、または機械加工などによって形成される。この方法では、市販の鏡に対してレーザ加工、ブラスト加工、エッチング加工、または機械加工などを施すことで貫通孔５１を形成できるので、鏡１の製造コストを抑制できる。
【００８０】
例えば、レーザ加工を行う場合、ガラス基材２の表面２１側からレーザを照射する。レーザは、ガラス基材２を透過して反射膜３及び保護膜４を加熱し、加熱された反射膜３及び保護膜４は蒸発する。また、エッチング加工を行う場合、保護膜４の裏面４２にマスキング処理を施す。
【００８１】
そして、貫通孔５１の形成時には、貫通孔５１の側面において、保護膜４のみに段部５１３またはテーパ面５１４を形成すればよいので、反射膜３及び保護膜４の両方を加工する場合に比べて、貫通孔５１を容易に形成することができる。
【００８２】
以上のように、実施形態に係る第１の態様の鏡１は、ガラス基材２と、反射膜３と、保護膜４と、透光用の１つ以上の貫通孔５１とを備える。反射膜３は、ガラス基材２の裏面２２に設けられている。保護膜４は、反射膜３の裏面３２に設けられている。貫通孔５１は、反射膜３及び保護膜４に厚み方向に沿って形成されている。そして、反射膜３の表面３１には貫通孔５１の第１開口５１１が形成されており、保護膜４の裏面４２には貫通孔５１の第２開口５１２が形成されており、第２開口５１２の面積は、第１開口５１１の面積より大きい。
【００８３】
上述の鏡１は、反射膜３及び保護膜４に厚み方向に形成された貫通孔５１を通過可能な光の進行角θの範囲を比較例より広くすることができる。この結果、鏡システム１０では、受光部７の検知角、及び発光部８の視野角がより広くなる。
【００８４】
また、実施形態に係る第２の態様の鏡１では、第１の態様において、貫通孔５１は、保護膜４内において第２開口５１２に近付くにつれて、厚み方向に直交する断面積が段階的または連続的に大きくなることが好ましい。
【００８５】
上述の鏡１は、保護膜４のみに段部５１３またはテーパ面５１４を形成すればよいので、反射膜３及び保護膜４の両方を加工する場合に比べて、貫通孔５１を容易に形成することができる。
【００８６】
また、実施形態に係る第３の態様の鏡１では、第２の態様において、貫通孔５１は、反射膜３に形成された柱体形状の第１空間６１と、保護膜４に形成された柱体形状の第２空間６２とを備え、第２空間６２の断面積は、第１空間６１の断面積より大きいことが好ましい。
【００８７】
上述の鏡１は、貫通孔５１を通過可能な光の進行角θの範囲をできるだけ広くすることができる。
【００８８】
また、実施形態に係る第４の態様の鏡１では、第２の態様において、貫通孔５１は、反射膜３の表面３１から保護膜４の内部に至る柱体形状の第１空間６１Ａと、保護膜４の内部から保護膜４の裏面４２に至る柱体形状の第２空間６２Ａとを備えることが好ましい。そして、第２空間６２Ａの断面積は、第１空間６１Ａの断面積より大きい。
【００８９】
上述の鏡１は、第２空間６２Ａの底面に保護膜４が設けられており、反射膜３の裏面３２が貫通孔５１内に露出していないので、反射膜３を保護することができる。
【００９０】
また、実施形態に係る第５の態様の鏡１では、第２の態様において、貫通孔５１は、反射膜３に形成された柱体形状の第１空間６１Ｂと、保護膜４に形成された錐台形状の第２空間６２Ｂとを備えることが好ましい。そして、第２空間６２Ｂの断面積は、第２開口５１２に近付くにつれて連続的に大きくなり、第２空間６２Ｂの断面積は、第１空間６１Ｂの断面積以上になる。
【００９１】
上述の鏡１は、第２空間６２Ｂが錘台形状に形成されており、反射膜３の裏面３２が貫通孔５１内に露出していないので、反射膜３を保護することができる。
【００９２】
また、実施形態に係る第６の態様の鏡１では、第２の態様において、貫通孔５１は、反射膜３の表面３１から保護膜４の内部に至る柱体形状の第１空間６１Ｃと、保護膜４の内部から保護膜４の裏面４２に至る錘台形状の第２空間６２Ｃとを備ることが好ましい。そして、第２空間６２Ｃの断面積は、第２開口５１２に近付くにつれて連続的に大きくなり、第２空間６２Ｃの断面積は、第１空間６１Ｃの断面積以上になる。
【００９３】
上述の鏡１は、反射膜３の裏面３２を十分な膜厚の保護膜４によって保護することができる。
【００９４】
また、実施形態に係る第７の態様の鏡１では、第１乃至第６の態様のいずれか１つにおいて、貫通孔５１に充填された透光性の保護膜９をさらに備えることが好ましい。
【００９５】
上述の鏡１は、反射膜３の端面が保護膜９に覆われているので、反射膜３の腐食の発生が抑えられる。
【００９６】
また、実施形態に係る第８の態様の鏡１では、第１乃至第７の態様のいずれか１つにおいて、前記１つ以上の貫通孔５１は複数の貫通孔５１であることが好ましい。そして、反射膜３の表面３１には複数の貫通孔５１のそれぞれの第１開口５１１が形成されており、複数の第１開口５１１の反射膜３の表面３１に沿った一方向の寸法である幅寸法Ｌがそれぞれ０．０１［ｍｍ］以上、１［ｍｍ］以下の範囲内に設定されている。
【００９７】
上述の鏡１では、複数の貫通孔５１（第１開口５１１）は離散的に配置されている。この結果、複数の貫通孔５１は、擬似的なハーフミラーとして機能し、かつ目立ちにくく、高い隠蔽性を有している。すなわち、鏡１は、複数の貫通孔５１の光透過性を確保し、かつ複数の貫通孔５１を目立ちにくくして鏡面としての機能を確保することができる。
【００９８】
また、実施形態に係る第９の態様の鏡１では、第８の態様において、複数の第１開口５１１のうち隣り合う２つの第１開口５１１の離間距離Ｗは、０．０１［ｍｍ］以上かつ２［ｍｍ］以下の範囲内に設定されていることが好ましい。
【００９９】
上述の鏡１では、複数の貫通孔５１の隠蔽性を確保しながら、複数の貫通孔５１を通過する光の総光量を十分に確保することができる。
【０１００】
また、実施形態に係る第１０の態様の鏡１では、第８または第９の態様において、複数の貫通孔５１のそれぞれの第２開口５１２は、互いに結合して１つの開口を形成していることが好ましい。
【０１０１】
上述の鏡１は、複数の第２開口５１２を結合した１つの開口を裏面に備えるので、受光部７の検知角、及び発光部８の視野角を一層広くすることができる。
【０１０２】
また、実施形態に係る第１１の態様の鏡システム１０は、上述の第１乃至第１０の態様のいずれか一つの鏡１と、保護膜４の裏面４２側において、第２開口５１２に対向して設けられた受光部７とを備える。そして、受光部７は、第１開口５１１に入射し、第２開口５１２から出射した光を受信する。
【０１０３】
上述の鏡システム１０では、受光部７の検知角がより広くなる。
【０１０４】
また、実施形態に係る第１２の態様の鏡システム１０は、上述の第１乃至第１０の態様のいずれか一つの鏡１と、保護膜４の裏面４２側において、第２開口５１２に対向して設けられて光を発する発光部８とを備える。そして、発光部８が発した光は、第２開口５１２に入射し、第１開口５１１から出射する。
【０１０５】
上述の鏡システム１０では、発光部８の視野角がより広くなる。
【０１０６】
また、上述の実施形態及び変形例は本発明の一例である。このため、本発明は、上述の実施形態及び変形例に限定されることはなく、この実施形態及び変形例以外であっても、本発明に係る技術的思想を逸脱しない範囲であれば、設計等に応じて種々の変更が可能であることは勿論である。
【符号の説明】
【０１０７】
１  鏡
１０  鏡システム
２  ガラス基材
２１  表面
２２  裏面
３  反射膜
３１  表面
３２  裏面
４  保護膜
４１  表面
４２  裏面
５  透光部
５１  透光用の貫通孔
５１１  第１開口
５１２  第２開口
６１，６１Ａ，６１Ｂ，６１Ｃ  第１空間
６２，６２Ａ，６２Ｂ，６２Ｃ  第２空間
７  受光部
８  発光部
９  保護膜（透光性の保護膜）
Ｌ  幅寸法
Ｗ  離間距離
【図１】
2019017560.tif 000003
【図２】
2019017560.tif 000004
【図３】
2019017560.tif 000005
【図４】
2019017560.tif 000006
【図５】
2019017560.tif 000007
【図６】
2019017560.tif 000008
【図７】
2019017560.tif 000009